(57)【要約】      （修正有）【課題】容易で安全に組立てることのできる人工魚礁を提供する【解決手段】魚礁底部を構成する架台１を設け、その上に、鋼材をブロック状に骨組みしてなる複数のブロック２ａ、２ｂ、２ｃを溶接固定する。ブロック２ａ、２ｂ、２ｃの位置決めがしやすくなり、人工魚礁の組立が容易になる。また、ブロック２ａ、２ｂ、２ｃおよび／またはブロック２ａ、２ｂ、２ｃ間を連結する連結体３ａ、３ｂ、３ｃに、仮設用足場部材５を備えることができる。仮設用足場部材５を設けることにより、ブロック２ａ、２ｂ、２ｃ組立時の足場とすることができるので、本人工魚礁とは別に仮設架台を設ける必要が無くなり、人工魚礁の組立施工がより簡便で安全となる。また、それと共に、仮設用足場部材５は蝟集効果機能をも併せ持つ。【選択図】図１
2005176679.tif 000002
【特許請求の範囲】
【請求項１】
魚礁底部を構成する架台と、鋼材をブロック状に骨組みしてなる複数のブロックと、ブロック同士を連結する連結体とを備え、前記架台上に複数のブロックが溶接固定され、各ブロック同士および／またはブロックと連結体とが夫々溶接固定されてなることを特徴とする人工魚礁。
【請求項２】
前記架台が複数の鋼材から構成され、鋼材同士がボルト締結されて略矩形の魚礁底部を構成することを特徴とする請求項１に記載の人工魚礁。
【請求項３】
前記ブロックに仮設用足場部材を備え、該仮設用足場部材が略水平になるように各ブロックが設置されたことを特徴とする請求項1または２に記載の人工魚礁。
【請求項４】
前記連結体は、仮設用足場部材を有する連結板を備え、前記仮設用足場部材が略水平になるように前記ブロック同士を連結することを特徴とする請求項１〜３のいずれかに記載の人工魚礁。
【請求項５】
前記仮設用足場部材が網状構造であることを特徴とする請求項３または４に記載の人工魚礁。
【請求項６】
餌料培養ボックスが設けられ、前記仮設用足場部材が前記餌料培養ボックスの壁面を構成することを特徴とする請求項５に記載の人工魚礁。
【請求項７】
前記ブロックは、複数の骨材が間隔をおいて配設されたスリット部が形成されていることを特徴とする請求項１〜６のいずれかに記載の人工魚礁。
【請求項８】
前記連結体は、鋼材を平板状に枠組みしてなる継ぎ板から構成され、前記継ぎ板に複数の骨材が間隔をおいて配設されたスリット部が形成されていることを特徴とする請求項１〜７のいずれかに記載の人工魚礁。
【請求項９】
前記複数のブロックのうち、人工魚礁外郭を構成するブロックの角部が斜め形状に形成されていることを特徴とする請求項１〜８のいずれかに記載の人工魚礁。
【請求項１０】
前記ブロックにチェーンなどの索条体を垂下することを特徴とする請求項１〜９のいずれかに記載の人工魚礁。
【請求項１１】
前記仮設用足場部材を備えるブロックが前記架台の中央に設けられ、該ブロックの周囲に、該ブロック上方から前記架台に設けられた吊り具まで、玉掛け用ワイヤを垂下可能な空間が設けられたことを特徴とする請求項３〜１０のいずれかに記載の人工魚礁。
【請求項１２】
複数の鋼材をボルト締結して魚礁底部を構成する架台を組立て、予め鋼材をブロック状に骨組みされた複数のブロックを前記架台上に溶接し、これらブロック同士を直接および／または連結体を介して溶接固定することを特徴とする人工魚礁の組立方法。
【請求項１３】
前記ブロックとして、網状構造の略水平な仮設用足場部材を備えたものを用いることを特徴とする請求項１２に記載の人工魚礁の組立方法。
【請求項１４】
前記連結体として、網状構造の略水平な仮設用足場部材を備えたものを用いることを特徴とする請求項１２または１３に記載の人工魚礁の組立方法。
【請求項１５】
前記連結体として、鋼材を平板状に枠組みしてなる継ぎ板を備えたものを用い、この連結体の一端側を予め前記ブロックに仮止めしておくことを特徴とする請求項１２〜１４のいずれかに記載の人工魚礁の組立方法。
【発明の詳細な説明】
【技術分野】
【０００１】
本発明は、人工魚礁に関するものである。
【背景技術】
【０００２】
鋼材のブロックからなる大型の人工魚礁は、工場で全て完成させてしまうと沿岸までの運搬が困難となる。そこで、運搬しやすいように工場では小型のブロックを製作し、それをトラック等で運び、岸壁でブロック同士を組立てて大型の人工魚礁を完成させてから、クレーン等で海底に沈設していた（特許文献１参照）。
【０００３】
【特許文献１】特開２００２−５１６６４号公報（段落００３４参照）
【発明の開示】
【発明が解決しようとする課題】
【０００４】
しかしながら、上記の人工魚礁は、ブロックを組み合わせる際に、各ブロックの位置決めをするのが困難であるため、組立精度を確保するため、仮設架台を設置してなければならなかった。したがって、仮設架台の設置と解体を必要とするうえ、人工魚礁が大きくなるほど仮設架台も大型化し、作業が煩雑となっていた。また、大型化が進む中で施工上安全に対する管理にも厳しくなっている。
【０００５】
そこで、本発明は、上記に鑑み、より容易で安全に組立てることのできる人工魚礁の提供を目的とする。
【課題を解決するための手段】
【０００６】
上記目的を達成するため、本発明に係る人工魚礁は、魚礁底部を構成する架台と、鋼材をブロック状に骨組みしてなる複数のブロックと、ブロック同士を連結する連結体とを備え、前記架台上に複数のブロックが溶接固定され、各ブロック同士および／またはブロックと連結体とが夫々溶接固定されてなることを特徴とする人工魚礁である。
【０００７】
架台とは、ブロックを載置するための台のことである。本発明では、この架台も人工魚礁の構造物として使用することを特徴とする。この架台に複数のブロックを載置して固定していけば、例えば架台内に載置すればよい等との目標がつきやすいので、ブロックの位置決めが容易である。したがって、人工魚礁の組立を容易なものとすることができる。さらに、架台のブロックの載置位置にライン等で目印をつけておけば、より簡単に架台の位置決めができるので好ましい。
【０００８】
架台を複数の鋼材から構成し、鋼材同士を組み合わせて略矩形の魚礁底部を構成することができる。これによれば、沿岸などの現場において、鋼材から架台へ組立てることができる。通常、架台は大型となってしまうが、架台を組立構成可能とすることにより、工場からの運搬がしやすくなる。また、鋼材同士の組立には、ボルト締結以外に溶接方法などの他の方法を採用してもよいが、ボルト締結方法を採用すれば、溶接方法よりもより早く施工を行うことができるので好ましい。ボルト締結方法はボルトの緩みが懸念とされる場合があるが、本発明においては、架台上に複数のブロックを溶接固定し、さらにブロック間も溶接固定するので、人工魚礁全体として安定した構造体となる。
【０００９】
また、矩形の魚礁底部は、その内側に複数の鋼材を差し渡し固定して、強固な構造物とすることができる。このような架台を構成する鋼材同士の接合部分を、ブロック載置位置の目安として使用することも可能である。架台は、現地で複数の鋼材をボルト締結することにより構成されるので、工場からは、鋼材として運搬できる。
【００１０】
ブロックは、限定されるものではないが、棒状や細板状の鋼材を骨組みすることにより形成され、内部が空洞とされる。この空洞内を魚類の棲みかとすることができる。ブロックの形状は、直方体状、立法体状など種々の形状を採用することができる。鋼材の骨組みは、ブロックの外郭の形成のみでもよいが、ブロックの強度を高めるためには、筋違い筋で補強するようにしてもよい。
【００１１】
架台上に溶接固定される複数のブロックは、ブロック同士を連結してもよいし、連結体を介して連結してもよい。ブロック同士設置の幅をあけて、ブロック間を連結体で連結すれば、人工魚礁全体の大きさに対するブロックの数を減らすことができる。
【００１２】
また、連結体は、ブロック間を連結してブロック全体としての強度を図るものである。その形態は特に限定されるものではなく、棒状、板状等種々の形態をとることができる。また、その材質も限定されるものではないが、例えば、強度を保つために、鋼材が挙げられる。
【００１３】
ブロックおよび／または連結体に、仮設用足場部材を備えることができる。仮設用足場部材を設けることにより、ブロック組立時の足場とすることができるので、本人工魚礁とは別に仮設架台を設ける必要が無くなり、人工魚礁の組立施工がより簡便で安全となる。また、仮設用足場部材は、そのまま人工魚礁の構成部材となるので、その下方に影ができ、魚類の蝟集効果を増加させることができる。したがって、仮設用足場部材は、人工魚礁組立時の仮設用足場部材としての機能面はもちろんのこと、蝟集効果を発揮できるという人工魚礁としての機能面をも併せ持つことができる。このように一つの部材で多機能を兼用することができるので、部品点数を減らすことができる。また、仮設用足場部材は、板状または網板状の構造のものを使用することができる。特に、仮設用足場部材を網板状の構造とすれば、設置時の水の抵抗や設置後の波・流れの抵抗を低くできるので人工魚礁全体に働く外力が軽減されるので好ましい。
【００１４】
前記ブロックに設けられる仮設用足場部材は、該仮設用足場部材が略水平になるように設置すれば、足場として安定するので、作業がしやすい。仮設用足場部材は、ブロックの上面、下面または内部のいずれの部分に設けてもよい。
【００１５】
また、前記連結体の仮設用足場部材は、連結板に設けられ、連結体は、前記仮設用足場部材が略水平になるように前記ブロック同士を連結する。複数の連結体のうちの一部を仮設用足場部材としてもよいし、全部を仮設用足場部材としても構わない。仮設用足場部材は、略水平となるように設けるのが作業の安定性上好ましいが、各ブロックに設けられた仮設用足場部材の高さが異なるときに、その間を連結する場合は、斜めに設けてもよい。
【００１６】
本人工魚礁は、餌料培養ボックスを設けることができ、前記仮設用足場部材が前記餌料培養ボックスの壁面を構成するようにしてもよい。餌料培養ボックスとは、魚類の餌料を保管または培養し、魚類の増殖を高めるための箱体である。餌料培養ボックスは、限定されるものではないが、網状の鋼材から構成される。なお、網状とすれば、その網目から餌を外に放出できるので好ましい。餌料培養ボックス内に収容されるものとしては、限定されるものではないが、石材、カキやホタテ等の殻、または魚の餌そのものが挙げられる。そして、この餌料培養ボックスの壁面を上述の仮設用足場部材として使用すれば、餌料培養ボックスは、仮設用足場部材及び蝟集機能部材としても使用することができ、部品点数の削減につながる。
【００１７】
また、ブロック及び／または連結体に、複数の骨材が間隔をおいて配設されたスリット部を形成するのが好ましい。これにより、ブロックや連結体に付着する生物の付着面積を十分確保できるうえに、海流への抵抗を軽減することができる。骨材の配設方向は、限定されるものではないが、垂直方向、水平方向など種々の方向とされる。また、骨材の材質は特に限定されるものではないが、鋼材が挙げられる。
【００１８】
詳しくは、前記ブロックに設けられるスリット部は、複数の骨材が間隔をおいて配設されて形成される。スリット部はブロックのいずれの位置に設けてもよい。ブロックの側面等、種々の部分に設けることにより、付着生物の付着面積を増加させることができる。仮設用足場部材よりも上方であってブロックの周側面に、スリット部を設ければ、仮設用足場部材で組立作業中に、ブロック側方から落下するのを防止することができ、安全性が高まる。
【００１９】
また、連結体が鋼材を平板状に枠組みしてなる継ぎ板から構成され、前記継ぎ板に複数の骨材が間隔をおいて配設されることにより、連結体のスリット部が形成される。
【００２０】
また、前記複数のブロックのうち、人工魚礁外郭を構成するブロックの角部を斜め形状に形成することができる。このように、人工魚礁に角を無くすことにより、海上を通る漁船などの網に、引っ掛かりにくい構成とすることができる。
【００２１】
さらにまた、前記ブロックにチェーンなどの索条体を垂下させることができる。チェーンが海流でゆらゆら動く姿は、昆布やワカメに擬似しているので、魚類が蝟集しやすい。また、付着生物の付着面積も増大させることができる。このように、より天然礁に近い構造とすることができる。なお、チェーンに限定されるものではなく、紐、ゴム等の昆布やワカメに似た形状のものを使用することができる。
【００２２】
仮設用足場部材を備えるブロックを架台の中央に設け、該ブロックの周囲に、該ブロック上方から架台に設けられた吊り具まで、玉掛け用ワイヤを垂下可能な空間を設けることができる。人工魚礁をワイヤで吊るしてクレーン台船に積み込むなどの搬送時には、玉掛け用ワイヤを架台へ取り付ける作業が必要であるが、この構成によれば、ブロックの仮設用足場部材上で、ブロック上方から垂らされる複数本の玉掛け用ワイヤをブロック周囲の垂下可能な空間に振り分ける作業を行うことができるので、作業が簡単である。なお、玉掛け用ワイヤを垂下可能な空間は、少なくとも玉掛け用ワイヤを通せる程度のスペースであればよい。
【００２３】
なお、本人工魚礁を用いて増殖させる魚類としては、アジ、サバ、ブリ等の回遊魚類、メバル、ソイ、ヒラメなどの底性魚類に限定されるものではなく、浅場で設置された場合には、アワビ、ウニ等の魚介類や海藻類にも期待することができる。
【発明の効果】
【００２４】
以上の説明から明らかな通り、本人工魚礁は、魚礁底部の架台そのものが、複数のブロックを組立てる際の仮設材を兼ねるので、組立作業が容易となり、ブロックの位置決めがしやすい。
【００２５】
また、ブロックおよび／または連結体に、仮設用足場部材を設けることにより、ブロック組立時の足場とすることができるので、人工魚礁の組立施工がより簡便で安全となると共に、足場部材が蝟集効果を増加させる機能材になる。
【発明を実施するための最良の形態】
【００２６】
以下、本発明の実施形態を図面に基づいて説明する。図１は本実施形態の人工魚礁の斜視図、図２は同じく人工魚礁の平面図、図３は同じく人工魚礁の正面図、図４は同じく人工魚礁の架台の平面図、図５（ａ）〜（ｅ）は同じく架台の組立手順を示す模式図、図６（ａ）〜（ｅ）は同じく人工魚礁の組立施工第一段階の工程を示す図、図７は同じく人工魚礁の組立施工第二段階を示す図、図８は同じく人工魚礁の組立施工第三段階を示す図、図９は、大型第二ブロックと小型ブロックとの継ぎ板による連結作業の模式図、図１０はクレーン台船に積み込む際の玉掛け作業の模式図である。
【００２７】
本人工魚礁は、図１に示すように、魚礁底部を構成する架台１と、鋼材をブロック状に骨組みしてなる複数のブロック２ａ、２ｂ、２ｃと、ブロック２ａ、２ｂ、２ｃ同士を連結する連結体３ａ、３ｂ、３ｃとから構成される。
【００２８】
架台１は、複数の鋼材から構成される。鋼材は、棒材からなり、例えば、Ｈ形鋼、溝形鋼、角形鋼管等が挙げられる。図４に示すように、架台１は、鋼材同士が接合プレート４を介してボルト締結されることにより組立てられる。詳しくは、図５（ａ）及び（ｂ）に示すように、十字形の交差部材１ａの四方の端に、鋼材を溶接して連結した十字材１ｂを形成する。次に、図５（ｃ）及び（ｄ）に示すように、十字材１ｂの４本の鋼材間を鋼材でボルト締結により連結することにより、内側の正方形の枠１ｃと、それよりも大の外側の正方形の枠１ｄとを形成する。内側の枠１ｂの四方の角に、ワイヤを掛けるためのかぎ状の吊り具１ｅを溶接により設け、図４及び図５（ｅ）に示すように、架台が完成される。
【００２９】
外側の枠１ａと内側の枠１ｂとの間の距離は、一つのブロック２ａ、２ｂ、２ｃの幅と略同一とされ、ブロック２ａ、２ｂ、２ｃの位置決めがしやすくなる。なお、架台１は、上記の形に限定されるものではなく、目的とする人工魚礁全体の構造によって、架台１の組立形を変更可能である。なお、図４中の破線は、ブロック２ａ、２ｂ、２ｃの位置を表しているが、より位置決めしやすいように、鋼材のその位置にラインなどの目印をつけてもよい。
【００３０】
ブロック２ａ、２ｂ、２ｃは、複数の鋼材を骨組みして溶接固定した、上下に長い直方体状に構成されるが、この形態に限定されるものではない。本実施形態においては、ブロック２ａ、２ｂ、２ｃは、架台１の中央に配置される一つの大型の第一のブロック（以下、大型第一ブロック２ａとする）と、大型第一ブロック２ａと略同一の大きさで、その四側面の側方側に間隔をおいて配置される四つの大型の第二ブロック（以下、大型第二ブロック２ｂとする）と、大型第一ブロック２ａの略２／３の高さで、架台１の対角線上において大型第一ブロック２ａから間隔をおいて、架台１の四隅に配置される四つの小型のブロック（以下、小型ブロック２ｃとする）とからなる。各ブロック２ａ、２ｂ、２ｃは、図４の点線で示すように、架台１を平面からみて縦５段横５列のマス図に区切ると、符号Ａ〜Ｉの位置に配置されることになり、各ブロック間は魚類などの生物の棲息空間として機能すると共に、架台１に設けられた吊り具１ｅに玉掛け用ワイヤＷを上方から吊り具１ｅまで通すための空間として機能する。また、各ブロック２ａ、２ｂ、２ｃ間は、その一部同士が連結体３ａ、３ｂ、３ｃにより連結される。
【００３１】
大型第一ブロック２ａ及び大型第二ブロック２ｂは、上部に、仮設用足場部材５を備える。仮設用足場部材５は、限定されるものではないが、鋼製の網状板からなり、その板面が略水平になるようにブロック２ａ、２ｂに溶接固定される。仮設用足場部材５は、足場として使用可能な強度及び大きさを持つものであればよい。なお、本実施形態においては、仮設用足場部材５は、溶接作業を考慮しブロック２ａ、２ｂの上端から約１ｍ下の位置に配されるが、これに限定されるものではない。
【００３２】
また、大型第一ブロック２ａ及び大型第二ブロック２ｂは、仮設用足場部材５よりも上方側でブロック２ａ、２ｂ側面の全体に、複数の骨材６ａが間隔をおいて配設されたスリット部６が形成される。骨材６ａは鋼製で、その配設方向は垂直方向に設定されるが、これに限定されるものではない。骨材６ａの配設間隔は、その間から人が落ちない程度のものとすればよい。スリット部６が形成されることにより、仮設用足場部材５上で作業中に、ブロック２ａ、２ｂ側面から落下するのを防止することができる。
【００３３】
また、この仮設用足場部材５は、その下方に影を形成できるので、蝟集効果の機能を併せ持つことができる。さらに、スリット部６は、落下防止柵としての機能だけでなく、海流による圧力を軽減できるうえに、基質付着面積を増加させることもできる。
【００３４】
また、大型第二ブロック２ｂ及び小型ブロック２ｃには、餌料培養ボックス７が設けられる。餌料培養ボックス７は、上記の仮設用足場部材５よりも下方に設けられる。本実施形態においては、餌料培養ボックス７は、地面（海底面）から２.５ｍの高さ位置に設けられるが、これに限定されるものではない。それぞれのブロック２ｂ、２ｃにおける餌料培養ボックス７は、略同一の高さ位置の設けられる。餌料培養ボックス７は、ブロック２ｂ、２ｃの骨組みである鋼材を利用して、箱状に網状板を張ることにより形成される。この餌料培養ボックス７内には、限定されるものではないが、石材、カキやホタテ等の殻が収容される。この表面や内部に、プランクトン等の小生物が棲息することにより、半永久的に魚類に餌料提供することができる。そして、この餌料培養ボックス７の上壁面を仮設用足場部材として使用することができる。したがって、餌料培養ボックス７は、餌料を培養するだけでなく、仮設用足場部材及び蝟集機能部材としての機能を併せ持つことができる。
【００３５】
本人工魚礁の四隅の角部を構成する小型ブロック２ｃの上角部は、切断され、その部分に三角形状の板８がはめ込まれて溶接される。したがって、人工魚礁の角部が減るので、海上を操業する漁船などの魚網などにひっかかりにくくなる。
【００３６】
また、ブロック２ａ、２ｂ、２ｃにチェーンなどの索条体９が垂下される。索条体９は、その一端が、大型第２ブロック体２ｂの足場部材の外側面側に固定されることにより、垂下状態で設けられるが、これに限定されるものではない。チェーンが海流でゆらゆら動く姿は、昆布やワカメに擬似しているので、魚類が蝟集しやすい。また、付着生物の付着面積も増大させることができる。このように、より天然礁に近い構造とすることができる。なお、チェーンに限定されるものではなく、紐、ゴム等の昆布やワカメに似た形状のものを使用することができる。
【００３７】
また、大型第一ブロック２ａには、地面（海底面）から仮設用足場部材５に至る鋼製のはしご１０が設けられる。組立時に、大型第一ブロック２ａの仮設用足場部材５に登ることができる。
【００３８】
上記のように形成されたブロック２ａ、２ｂ、２ｃは、それぞれ間隔をおいて架台１上に設置されるので、強度を上げるために、各ブロック２ａ、２ｂ、２ｃ間を連結体３ａ、３ｂ、３ｃで溶接固定により連結する。連結体は、棒状の鋼材からなる棒状連結体３ａ、板状の鋼材からなる継ぎ板３ｂ、仮設用足場部材５を有する板状の鋼材からなる足場部材用連結板３ｃの三種類からなる。
【００３９】
棒状連結体３ａは、各ブロック２ａ、２ｂ、２ｃ間を水平方向、斜め方向又はクロス方向に適宜の位置に配され、溶接により連結される。特に、魚礁底部の強度を上げるため、魚礁底部に多く設けたほうが良い。
【００４０】
継ぎ板３ｂは、大型第二ブロック２ｂと小型ブロック２ｃとの隣接する上端同士を連結するが、この位置に限定されるものではない。継ぎ板３ｂは、鋼材を平板状に枠組みした枠体内に、スリット部１１が設けられて構成される。スリット部１１は、複数の骨材１１ａが間隔をおいて配設されてなる。このように継ぎ板３ｂはスリット部１１を有するので、海流の抵抗が軽減できる。また、継ぎ板３ｂの下方には影が形成されるので、蝟集効果を発揮することができる。なお、予め、継ぎ板３ｂの一端を大型第二ブロック２の上端に仮止めしておくのが好ましい。このようにすれば、現地組立時において、容易に小型ブロック２ｃと連結することができる。
【００４１】
また、足場部材用連結板３ｃは、鋼製の網状構造の板材からなる。足場部材用連結板３ｃは、大型第一ブロック２ａと大型第二ブロック２ｂとの隣接する上端同士を橋渡しするようにして、両端が溶接固定されると共に、仮設用足場部材５の板面が略水平となるように設置される。したがって、大型第一ブロック２ａと大型第二ブロック２ｂとの仮設用足場部材５間を渡る橋（足場）として使用することができる。また、この足場部材用連結板３ｃは、その下方に影が形成されるので、蝟集効果を発揮することができる。
【００４２】
上記構成の人工魚礁の組立方法を説明する。まず、沿岸などの現場において、複数の鋼材をボルト締結により、魚礁底部を構成する架台１を組立てる。すなわち、図４及び図５に示すように、十字形の交差部材１ａの四方の端に、鋼材を溶接して連結した十字材１ｂを形成し、十字材１ｂの４本の鋼材間を鋼材でボルト締結により連結することにより、内側の正方形の枠１ｃと、それよりも大の外側の正方形の枠１ｄとを形成する。そして、内側の枠１ｂの四方の角に、ワイヤを掛けるためのかぎ状の吊り具１ｅを溶接により設ける。これにより、架台１が形成される。このように、現場で鋼材から架台を組立てるので、工場からは鋼材の状態で運搬できる。
【００４３】
そして、図６（ａ）及び（ｂ）に示すように、予め鋼材をブロック状に骨組みして形成された大型第一ブロック２ａをクレーンを用いてワイヤＷで吊り、大型第一ブロック２ａの中心が架台１の鋼材１ｃの交点上に位置するように、大型第一ブロック２ａを架台１上に載置し、ブロック底面を架台１に溶接固定する（図４中のＡの位置）。図６（ｃ）に示すように、作業員がはしご１０から、大型第一ブロック２ａの仮設用足場部材５にのり、ブロック２ａからワイヤを取り外す。
【００４４】
次に、図６（ｄ）及び（ｅ）に示すように、予め鋼材をブロック状に骨組みして形成された四つの大型第二ブロック２ｂを一つずつクレーンで運び、大型第一ブロック２ａの側方の架台１上に配置し、下面を架台１に溶接固定する。この際、ブロックの位置決めは、大型第二ブロック２ｂの底面が、架台１の外側の正方形の枠１ａ及び内側の正方形の枠１ｂの上に載るように設定すればよい（図４中のＢ〜Ｅの位置）。
【００４５】
次に、図７に示すように、四つの足場部材用連結板３ｃを十字状に配列し、その隣接する角部同士を溶接固定により連結する。この連結された四つの足場部材用連結板３ｃをクレーンで運び、それぞれの連結板が大型第一ブロック２ａと大型第二ブロック２ｂとの間に位置するようにして設置し、端部を溶接固定する。この作業時には、作業員は大型第一ブロック２ａの仮設用足場部材５上で行えるとともに、設置後には、この足場部材用連結板３ｃにより、大型第二ブロック２ｂの仮設用足場部材５上に移動して作業することができる。
【００４６】
次に、図８に示すように、予め鋼材をブロック状に骨組みして形成された四つの小型ブロック２ｃを架台１の対角線上において大型第一ブロック２ａから間隔を置いた位置、すなわち、架台１の四隅に設置し、その下面を架台１に溶接固定する（図４中のＦ〜Ｉの位置）。この際の位置決めは、小型ブロック２ｃの対角線上の二つの角部分が、外側の枠１ａと内側の枠１ｂの角部分に位置するようにすれば、簡単に行うことができる。
【００４７】
そして、図９に示すように、予め一端側を大型第二ブロック２ｂに仮止めしてある継ぎ板３ｂで、大型第二ブロック２ｂと小型ブロック２ｃとを連結する。このように、工場などで予め継ぎ板３ｂの一端側を、その継ぎ板３ｂにより連結される２つのブロック２ｂ、２ｃのうちの一つに仮止めしておけば、人工魚礁組立時において、容易にブロック２ｂ、２ｃ間を連結することができる。なお、その他、棒状連結体３ａで、各ブロック２ａ、２ｂ、２ｃ間の適宜の場所を溶接により連結するものとする。
【００４８】
図１０に示すように、本人工魚礁をクレーン台船に積み込むなどの搬送時に、玉掛け用ワイヤＷを架台１の吊り具１ｅへ玉掛けをする際、大型第一ブロック２ａの仮設用足場部材５上で、複数本の玉掛け用ワイヤＷをブロック２ａ周囲に振り分ける作業を行うことができるので容易である。大型第一ブロック２ａの四隅周囲の人工魚礁上部から架台１まで吹き抜けの空間、すなわち、ブロック２ａ、２ｂ、２ｃ、継ぎ板３ｂ及び足場部材用連結板３ｃが設けられていない空間を利用して、玉掛け用ワイヤＷを架台１まで垂下させることができ、ワイヤＷを吊り具１ｅに取り付けることができる。
【００４９】
以上のように、本人工魚礁は、架台１を設けることにより、ブロック２ａ、２ｂ、２ｃの位置決めがしやすくなる。また、仮設用足場部材５を設けることにより、ブロック２ａ、２ｂ、２ｃの組立時の足場とすることができるので、本人工魚礁とは別に仮設架台を設ける必要が無くなり、人工魚礁の組立施工がより簡便となる他、沈設時の施工も安全で容易になる。また、仮設用足場部材５は、足場としての機能と同時に蝟集機能を併せ持つことができる。
【図面の簡単な説明】
【００５０】
【図１】本実施形態の人工魚礁の斜視図
【図２】同じく人工魚礁の平面図
【図３】同じく人工魚礁の正面図
【図４】同じく人工魚礁の架台の平面図
【図５】同じく架台の組立手順を示す模式図
【図６】（ａ）〜（ｅ）は、同じく人工魚礁の組立施工の第一段階の工程を示す図
【図７】同じく人工魚礁の組立施工の第二段階を示す図
【図８】同じく人工魚礁の組立施工の第三段階を示す図
【図９】大型第二ブロックと小型ブロックとの継ぎ板による連結作業の模式図
【図１０】クレーン台船に積み込む際のワイヤの玉掛け作業の模式図
【符号の説明】
【００５１】
１    架台
２ａ  大型第一ブロック
２ｂ  大型第二ブロック
２ｃ  大型第三ブロック
３ａ  棒状連結体
３ｂ  継ぎ板
３ｃ  足場部材用連結板
５    仮設用足場部材
６    ブロックのスリット部
６ａ  骨材
７    餌料培養ボックス
９    索状体
１１  連結体のスリット部
【図１】
2005176679.tif 000003
【図２】
2005176679.tif 000004
【図３】
2005176679.tif 000005
【図４】
2005176679.tif 000006
【図５】
2005176679.tif 000007
【図６】
2005176679.tif 000008
【図７】
2005176679.tif 000009
【図８】
2005176679.tif 000010
【図９】
2005176679.tif 000011
【図１０】
2005176679.tif 000012